(57)【要約】【課題】使用者が常時装着して使用でき、装着が容易で、しかも身体に無理な力が加わることなく、じっくりと背中の曲がりを矯正しうる背骨矯正具を提供する。【解決手段】本体部２が、複数本の薄板状の長尺竹材６−１、・・・、６−６を縦枠とし、他の複数本の薄板状の長尺竹材７−１、・・・、７−６を横枠として、これらを格子状に配置して固着してなる基体部４と、この基体部を被覆する布製カバー５と、からなり、この本体部の側部に本体部を身体に密装着するための複数本の紐３Ａ，３Ｂ，３Ｃとを備え、使用時は本体部２を背中に載せ、紐３Ｂ、３Ｃを引っ張って本体部２の下部２ａを背中に密着させ腹部で結び、次に紐３Ａを引っ張って本体部２の上部２ｂを前方に曲げて、曲がった背中に密着させ、紐３Ａを体前方で結ぶ。【選択図】  図７
0003125432.tif 000002
【実用新案登録請求の範囲】
【請求項１】
本体が、複数本の薄板状の長尺竹材を縦枠とし、他の複数本の薄板状の長尺竹材を横枠として、前記縦枠と横枠を格子状に配置して固着してなる基体部と、この基体部を被覆する布製カバーと、からなり、この本体の側部に本体を身体に密装着するための複数本の紐とを、備えたことを特徴とする背骨矯正具。
【請求項２】
前記縦枠の長尺竹材を、前記横枠の長尺竹材より、薄肉に形成したことを特徴とする請求項１記載の背骨矯正具。
【請求項３】
前記紐は、前記本体部の側部下方部に少なくとも２本、側部上方部に少なくとも１本設けたことを特徴とする請求項１又は請求項２記載の背骨矯正具。
【考案の詳細な説明】
【技術分野】
【０００１】
この考案は、猫背や屈背などの悪い姿勢、加齢による屈背を矯正する背骨矯正具に関する。
【背景技術】
【０００２】
日常の生活の中で悪い姿勢の習慣により、猫背や屈背を招くことがある。また、年を重ねることによって、自然に背中が前に曲がることもよくあることである。これら背骨の屈曲を矯正するための道具、衣服が種々提案され、開示されている。
【０００３】
従来、たとえば、シートａ、ｂの周縁を貼り合わせることにより形成した可撓性を有する袋状体を背骨の伸延方向に、互いに独立した複数の空気室に分割するとともに,各空気室内に独立に空気を送り込んで、各空気室の膨張程度を個別に制御するための空気流通口を各空気室に連通して設けてあり、空気室内に送り込む空気の量を独立に調整することにより、各空気室の膨張程度を変化させて、各個人の生理的湾曲に併せて,背骨の矯正を行う背骨矯正具が開示されている（例えば特許文献１参照）
また、背骨の矯正のために、ほぼ敷布団の幅に切断した丸竹または割竹の多数本を紐で連結して寝床敷とした竹製寝床敷も開示されている（例えば特許文献２参照）。
【０００４】
また、猫背など悪い姿勢を矯正するための衣服として、胴ベルトと、この胴ベルトから延出される、たすき掛け状の（背中）肩バンドとから形成される姿勢ベルトが開示されている（例えば特許文献３の図６、図７参照）。
【特許文献１】特開平５−３３７１４７号公報
【特許文献２】実開平５−７６３６８号公報
【特許文献３】特開平５−２８５１６７号公報
【考案の開示】
【考案が解決しようとする課題】
【０００５】
背骨矯正に関し、加齢による背中の曲がりに対する背骨の矯正は、背中の曲がりの進行を止めるとともに、曲がりを可能な限り伸ばすには、矯正具を常時装着し、背骨に対し、ゆっくりと背中とは逆の反り方向への力が加えられることが望ましい。
【０００６】
しかしながら、上記特許文献１、特許文献２に記載の背骨矯正具は、いすの背もたれや床に設置した状態で使用するものであり、人体に常時装着して使用し得るものでないという問題がある。また、上記特許文献３に記載の姿勢ベルトは、人体に常時装着し得るものの、加齢による背中の曲がりを戻すだけのパワーを加えることができないという問題がある。
【０００７】
この考案は、上記問題点に着目してなされたものであって、使用者が常時装着して使用でき、装着が容易で、しかも身体に無理な力が加わることなく、じっくりと背中の曲がりを矯正しうる背骨矯正具を提供することを目的とする。
【課題を解決するための手段】
【０００８】
前記目的を達成するために、この考案の背骨矯正具は、本体が、複数本の薄板状の長尺竹材を縦枠とし、他の複数本の薄板状の長尺竹材を横枠として、前記縦枠と横枠を格子状に配置して固着してなる基体部と、この基体部を被覆する布製カバーと、からなり、この本体の側部に本体部を身体に密装着するための複数本の紐とを、備えている。
【０００９】
この背骨矯正具は、使用に際しては、本体部を背中に当て、その内面が曲がった背中に密着するように紐で引っ張り締めて装着する。使用中、縦枠である長尺竹材の曲がりが、竹材の反発戻り力により、背中（背骨）を後方に反り返させる力が働き、結果として使用により、少しずつ背中を伸ばすことができる。
【００１０】
この考案の背骨矯正具において、前記縦枠の長尺竹材を、前記横枠の長尺竹材より、薄肉に形成することが望ましい。
【００１１】
また、この考案の背骨矯正具において、前記紐は、前記本体部の側部下方部に少なくとも２本、側部上方部に少なくとも１本設けることが望ましい。
【考案の効果】
【００１２】
この考案によれば、本体部を背中に載せ、紐で引っ張り締めて、背中に密着装着するので、使用者の背中に常時装着することができる。その上本体部の基体部として長尺竹材を格子状に固着したものを使用し、竹材のソフトな弾性による反り力により、身体に無理なく、加齢により前に曲がった背中を伸ばすことができる。このことは、考案者自らが継続して使用し、その効果を確認している。
【考案を実施するための最良の形態】
【００１３】
以下、実施の形態によりこの考案を、さらに詳細に説明する。図１は、この考案の一実施形態背骨矯正具の概略構成を示す平面図、図２は、同実施形態背骨矯正具の基体部の平面図、図３は、同基体部の斜視図である。この図１〜図３に基づいて、この実施形態背骨矯正具の構成を説明する。
【００１４】
この実施形態背骨矯正具は、平面視長方形状の本体部２と、この本体部２に取り付けられた紐３Ａ、３Ｂ、３Ｃとから構成されている。本体部２は、図２に示すように竹材でできた基体部４と、この基体部４を被覆する布製のカバー５とから構成されている。
【００１５】
基体部４は、縦方向に複数本の薄板上の長尺竹材６―１、６−２、・・・、６―６と、横方向の薄板状の長尺竹材７―１、７−２、・・・、７―６と、が、それぞれ縦枠、横枠として格子状に配置され、交叉部分が接着剤にて固着されている。長尺竹材６―１、６−２、・・・、６―６は、ここでは長さ３６ｃｍ、長尺竹材７−１、７−２、・・・、７は、長さ２４ｃｍに設定している。もちろん、この寸法は、使用するものの体格に応じて適宜の値に設定すればよい。交叉部分の固着は、ネジ締めであっても良い。
【００１６】
また、長尺竹材６―１、６−２、・・・、６―６と、及び長尺竹材７−１、７−２、・・・、７−６の幅は、２ｃｍに設定し、厚さは数ｍｍ程度に設定しているが、これらの値も、使用者の体格、年齢、性別などに応じて適宜設定すればよい。
【００１７】
なお、縦枠の長尺竹材６―１、６−２、・・・、６―６の厚さは、横枠の７−１、７−２、・・・、７−６に対し、薄く設定し、本体部２を背中に装着した場合、背中の曲がりに応じ、曲げることができ、背中に密着できるように弾性を持たせている。
【００１８】
本体部２の布製カバー５内は、図４に示す断面図のように、長尺竹材６―１、６−２、・・・、６―６と、長尺竹材７−１、７−２、・・・、７−６からなる基体部４のみで十分であるが、長期にわたり装着して使用することを考えると、使用者の背中に接する部分にソフト感覚で接触させるため緩衝布８，あるいは緩衝布８、９を、図５、図６の断面図に示すように、設けておくと良い。
【００１９】
紐３Ａ、３Ｂ、３Ｃは、それぞれ１本の紐であり、これらを本体部２に縫着し、あるいは貼着し、本体部２の左右外方に延出して、それぞれ紐３Ａａ、３Ａｂ、３Ｂａ、３Ｂｂ、３Ｃａ、３Ｃｂとして使用している。本体部２を背中に載せた後、これらの紐を使用して、本体部２を背中に密着させた後、身体の前で紐３Ａａと３Ａｂ、紐３Ｂａと３Ｂｂ、紐３Ｃａと３Ｃｂを結び合わせる。左右の紐の結びの組み合わせは、他の組み合わせ、例えば紐３ＢＡａと３Ｃｂ、紐３Ｃａと３Ｂｂでも可能である。紐３Ａａと３Ａｂ、紐３Ｂａと３Ｂｂ、紐３Ｃａと３Ｃｂは、別体のものとし、それぞれ本体部２の左端、右端に取り付けても良い。
【００２０】
また、この実施形態では、本体部２の下方側部に２本の紐３Ｂ，３Ｃを設け、本体部２を装着する際に先ずこの２本の紐３Ｂ，３Ｃにより、腹部に本体部２の下部２ａを確実に装着した後、本体２の上方に１本設ける紐３Ａを引っ張り、本体部２の上部２ｂを背中の曲がりに相応して曲げ、密着して装着できるようにしている。
【００２１】
使用者Ｍに,この実施形態背骨矯正具を装着した状態を図７に示す。紐３Ｂ，３Ｃで本体部２を腹部にしっかり装着した後、紐３Ａで、本体２の上部２ｂを前方つまり背中の曲がり面に近づくように引っ張り曲げて背中に密着させている。そのため、本体部２の上部は、基体部４の長尺竹材６―１、６−２、・・・、６―６の矢印Ａ方向の復帰力により、背中が反り方向にゆっくりと引っ張られ、長期の使用の継続により、背中を伸ばすことができる。この場合、長尺竹材の反発力はソフトなものなので、瞬時的に大きな力が加わらず、使用者に負担を掛けることはない。また、この実施形態背骨矯正具は、背中に装着するものであるから、両手両足などに規制がかからず、また、床に寝ている必要もないので、背中に装着した状態で他の仕事、作業を行うことができる。もちろん、装着した状態で寝そべることも可能である。
【００２２】
なお、上記実施形態においては、長尺竹材は、縦、横とも６本としているが、この本数は、適宜変更可能である。
【００２３】
また、紐３Ａ，３Ｂ，３Ｃについて、左右のものを前で結び合わせるものについて説明したが、他の紐として、図８に示すように、一方に２個のリング１０Ａ，１０Ｂを設け、これに他方側の紐を通して止めるようにしても良い。また、さらに他の紐（ベルト）の止め方を使用してもよい。
【図面の簡単な説明】
【００２４】
【図１】この考案の一実施形態に係る背骨矯正具の概略構成を示す平面図である。
【図２】同実施形態背骨矯正具の基体部の平面図である。
【図３】同実施形態背骨矯正具の基体部の斜視図である。
【図４】同実施形態背骨矯正具の図１に示すＡ−Ａで切断した側断面図である。
【図５】同実施形態背骨矯正具の図１に示すＡ−Ａで切断した、他の例を示す側断面図である。
【図６】同実施形態背骨矯正具の図１に示すＡ−Ａで切断した、さらに他の例を示す側断面図である。
【図７】同実施形態背骨矯正具を人に装着した状態を示す概略図である。
【図８】同実施形態背骨矯正具に使用可能な、他の紐の例を示す図である。
【符号の説明】
【００２５】
１                              背骨矯正具
２                              本体部
３Ａ、３Ｂ、３Ｃ                紐
４                              基体部
５                              布製カバー
６−１、６−２、・・・、６−６  縦枠用の長尺竹材
７−１、７−２、・・・、７−６  横枠用の長尺竹材
８、９                          緩衝布
１０Ａ、１０Ｂ                  リング
【図１】
0003125432.tif 000003
【図２】
0003125432.tif 000004
【図３】
0003125432.tif 000005
【図４】
0003125432.tif 000006
【図５】
0003125432.tif 000007
【図６】
0003125432.tif 000008
【図７】
0003125432.tif 000009
【図８】
0003125432.tif 000010